(57)【要約】【課題】従来の照度調節装置は、複数の反射体を枠体に一体的に取り付けた構成であるため、反射光が照射される被照射体の所定位置への反射方向を調節することができず、被照射体に効率よく光を照射することができないという問題があった。【解決手段】照射された光を反射する反射体を備え、該反射体からの反射光を植物等の被照射体の所定位置に照射し、照度を調節する照度調節装置において、前記反射体は、前記被照射体の所定位置へ光を照射すべく、反射方向を複数方向に調節する調節部を備えているため、被照射体の照射位置へ照射される反射光の反射方向を調節することができ、所定位置への光量を調節することが可能な照度調節装置を提供できる。【選択図】図１
2011160765.tif 000002
【特許請求の範囲】
【請求項１】
照射された光を反射して植物等の被照射体に照射する反射体を備え、該反射体の反射方向を調節することにより上記被照射体の所定位置の照度を調節する照度調節装置において、
前記反射体は、前記被照射体の所定位置へ光を照射すべく、反射方向を複数方向に調節する調節部を備えてなることを特徴とする照度調節装置。
【請求項２】
前記調節部は、前記被照射体の所定位置に所定の光量を有する光を照射すべく、前記反射体の反射面積を調節してなることを特徴とする請求項１に記載の照度調節装置。
【請求項３】
複数の反射体を備えた請求項１又は請求項２に記載の照度調節装置において、
前記調節部は、少なくとも１つは異なる方向に光を照射すべく、前記各反射体の反射方向を個別に調節してなることを特徴とする照度調節装置。
【請求項４】
前記反射体からの反射光を、植物に照射してなることを特徴とする請求項１から請求項３のいずれか１つに記載の植物育成用の照度調節装置。
【請求項５】
前記調節部は、植物の生長段階に応じて、前記反射体の反射方向又は反射光量を調節してなることを特徴とする請求項１から請求項４のいずれか１つに記載の植物育成用の照度調節装置。
【請求項６】
複数の発光ダイオード等からなる照明装置を備え、
前記照明装置からの光を反射する請求項１から請求項５のいずれか１つに記載の照度調節装置を備えた植物育成装置。
【請求項７】
照射された光を反射体で複数方向に反射し、被照射体の所定位置に照射することにより、該被照射体の所定位置へ照射される光の照度を調節する照度調節方法。
【発明の詳細な説明】
【技術分野】
【０００１】
本発明は、植物や机等の被照射体に照射される光の照度を調節する照度調節装置、該照度調節装置を植物育成用に用いた植物育成用の照度調節装置、該植物育成用の照度調節装置を備えた植物育成装置及び照度調節方法に関する。
【背景技術】
【０００２】
従来の照度調節装置として、育成室（培養室）内への反射光量を調節可能な照度調節装置が提案されている（特許文献１参照）。
【０００３】
以下、図９を用いて上記特許文献１に記載の従来の照度調節装置５１０について説明する。従来の照度調節装置５１０を備えた育成室５００は、天壁５０１、底壁５０２、前壁５０３及び後壁５０４から構成してなり、左右を開放した連通口（不図示）には、上下方向に適宜の幅と左右方向に長くかつ可撓性を有する薄板で形成された反射体５１１が上下方向に複数個並設しており、各反射体５１１の端部は、前後方向に回動可能な枠体５１２に一体的に取り付けた構成である。
【先行技術文献】
【特許文献】
【０００４】
【特許文献１】実開平３−１８７３７号公報
【発明の概要】
【発明が解決しようとする課題】
【０００５】
上記従来の照度調節装置５１０を構成する反射体５１１は、前後方向に回動可能な枠体５１２に一体的に取り付けてあるため、反射体５１１により反射される光（以下、「反射光」という）の反射方向が、常に一方向となる。そのため、植物の所定位置へ照射される光の反射方向を調節することができず、被照射体に効率よく光を照射することができないという問題がある。
【０００６】
本発明は、上記のような従来の構成が有していた問題を解決しようとするものであり、反射体からの反射光の反射方向を、複数方向に異ならせることにより被照射体の所定位置に照射される光の照度を調節することが可能な照度調節装置を提供することを目的とする。
【課題を解決するための手段】
【０００７】
本発明の照度調節装置は、照射された光を反射して植物等の被照射体に照射する反射体を備え、該反射体の反射方向を調節することにより上記被照射体の所定位置の照度を調節する照度調節装置において、前記反射体は、前記被照射体の所定位置へ光を照射すべく、該反射体の反射方向を複数方向に調節する調節部を備えてなることを特徴とする。すなわち、照射された光を反射体で複数方向に反射し、被照射体の所定位置に照射することにより、該被照射体の所定位置へ照射される光の照度を調節する。
【０００８】
上記本発明によれば、被照射体の所定位置へ照射する反射光の反射方向を複数方向に異ならせて調節することができるため、被照射体の所定位置へ効率よく反射光を照射することができ、所定位置の照度を調節することができる。
【０００９】
また、本発明の照度調節装置の調節部は、前記被照射体の所定位置に所定の光量を有する光を照射すべく、前記反射体の反射面積を調節してなることを特徴とする。
【００１０】
上記本発明によれば、反射体の反射面積を調節することにより、被照射体の所定位置に照射される光の光量を調節することができる。
【００１１】
そして、本発明の照度調節装置は、複数の反射体を備え、前記調節部は、少なくとも１つは異なる方向に光を照射すべく、前記各反射体の反射方向を個別に調節してなることを特徴とする。
【００１２】
上記本発明によれば、各反射体を個別に調節することができるので、被照射体に効率よく光を照射することができる。
【００１３】
そしてまた、本発明の照度調節装置を、植物を育成するための植物育成用の照度調節装置に用いた場合、植物育成用の照度調節装置の調節部は、植物の生長段階に応じて、前記反射体の反射方向又は反射光量を調節してなることを特徴とする。
【００１４】
上記本発明によれば、生長段階に応じて反射方向又は反射光量を調節することができるため、植物の生長を制御することができる。また、葉の裏面側や葉が重なり合う部分など光が直接照射されにくい部分へも効率よく光を照射することができる。
【００１５】
なお、本発明の照度調節装置を備えた植物育成装置は、複数の発光ダイオード等からなる照明装置を備え、前記照明装置からの光を反射する照度調節装置を備えてなることを特徴とする。
【００１６】
上記本発明によれば、植物に直接照射される照明装置からの直接光と、照度調節装置を介して植物に間接的に照射される間接光とを用いて、効果的に植物に光を照射することができるため、植物の生長をコントロールすることができる。
【発明の効果】
【００１７】
本発明の照度調節装置は、上記のような構成であるから、反射体からの反射光の反射方向を、複数方向に異ならせることができ、被照射体の所定位置へ照射される光の照度を調節することができる。
【図面の簡単な説明】
【００１８】
【図１】本発明の照度調節装置を植物育成装置の育成棚に実施した構成を示す要部概略図である。
【図２】図１の植物育成装置の構成を示す全体模式図である。
【図３】図１の反射体の構成を示す要部正面図である。
【図４】図３の反射体を示す概略側面図である。
【図５】図１の育成棚の概略ブロック図である。
【図６】植物育成装置の反射体の反射方向を調節する調節手順を示すフローチャートである。
【図７】本発明の照度調節装置を育成棚に実施した実施例２を示す要部概略図である。
【図８】図７の反射体の反射方向を説明する説明図である。
【図９】従来の照度調節装置を示す概略全体図である。
【発明を実施するための形態】
【実施例１】
【００１９】
以下、本発明の照度調節装置３０を例えば被照射体である植物を育成するための植物育成装置１００に用いた場合の実施例１について、図１から図６を用いて説明する。図１は、本発明の照度調節装置３０を植物育成装置１００の育成棚１０に実施した構成を示す要部概略図であり、図２は、本発明の照度調節装置３０を植物育成装置１００に実施した構成を示す全体模式図である。また図３は、本発明の照度調節装置３０の反射体３１の構成を示す要部正面図であり、図４は、図３に示す反射体３１の側面図である。
【００２０】
本実施例１に示す植物育成装置１００は、図２に示すように、所要の大きさの育成室（不図示）を設けており、育成室は、その内部に人が入って作業ができるだけの十分な大きさ、広さを有している。育成室には、縦、横、高さが適宜の寸法を有する育成棚１０と、育成室内（以下、「室内」）の空調を調節する空調制御機１０２と、室内に二酸化炭素を供給する二酸化炭素供給装置１０３とを備える。
【００２１】
上記育成棚１０は、１又は複数段の載置棚２が水平に配され、載置棚２には育成する植物を入れた複数のトレー３を載置してある。各トレー３には、培養液タンク４から往路管５を介してポンプ６で吸引された培養液が供給され、各トレー３に供給された培養液は、復路管７を経由して培養液タンク４に戻されるようになっている。これにより、水耕栽培を行うことができる。なお、必要に応じて上記培養液タンク４内の培養液の水質を浄化する水質浄化装置（不図示）、培養液に肥料などを供給する肥料供給装置（不図示）などを設けることもできる。
【００２２】
また、上記載置棚２は、図２に示すように育成室の大きさに応じて、１つでも複数段に積み上げて設けてもよく、水平方向に並設してもよい。そして、載置棚２の大きさに応じて、載置棚２に載置するトレー３の数も１又は複数個設けることができる。
【００２３】
上記空調制御機１０２は、室内の温度や湿度を所要の値に制御するためのものであり、室内温度（以下、「室温」という）や湿度を設定するための設定部としての操作パネル（不図示）を設けている。上記二酸化炭素供給装置１０３は、室内の二酸化炭素濃度を所要の値に制御して供給するためのものであり、育成室外（以下、「室外」という）には、該二酸化炭素供給装置１０３に二酸化炭素を供給する二酸化炭素ボンベ１０４を設置している。また、上記二酸化炭素供給装置１０３は、室内の二酸化炭素濃度を設定する設定部としての操作パネル（不図示）を設けている。なお、操作パネルに代えてリモコンなどの遠隔操作端末を用いてもよい。
【００２４】
上記操作パネルを操作することにより、例えば昼間は設定温度Ｔを２５℃、湿度を６０％、作動時間を１２時間とし、夜間は設定温度Ｔを５℃、湿度を９０％、作動時間を１２時間などのように室温、湿度、時間などを設定することができる。さらに、上記二酸化炭素供給装置１０３は、室内の二酸化炭素濃度を、例えば、１８００ｐｐｍ〜２０００ｐｐｍに設定することができる。
【００２５】
上記育成棚１０は、図１に示すように、天井部に光源ユニット（照明装置）２０と、側面部に該光源ユニット２０からの光を反射し、育成棚１０の外形を形成する照度調節装置３０などを備えている。
【００２６】
上記光源ユニット２０は、上記育成棚１０の天井部、すなわち上記各トレー３に収められた植物の上方に設けてあり、光を照射する複数の発光ダイオード（以下、「ＬＥＤ」という。不図示）と、ＬＥＤを実装したＬＥＤ基板２２と、ＬＥＤを制御する制御部（不図示）とからなる。上記光源ユニット２０は、発光面が植物の方を向くように、すなわち該光源ユニット２０の発光面が植物と対向するように、上記載置棚２から所定の高さの位置に設置されている。また、光源ユニット２０は、ＬＥＤに限らず光を照射可能な光源であればよく、例えば蛍光管、ランプ、電球等を用いても構わない。
【００２７】
上記照度調節装置３０は、少なくとも上記育成棚１０の外形を形成する複数の反射体３１と、各反射体３１を所定の位置に支持して固定する支柱３６とから構成してなり、該反射体３１の両端部を支柱３６に形成した溝部（不図示）に挿入することにより、上記育成棚１０の外形を形成している。
【００２８】
次に図３及び図４を用いて、上記照度調節装置３０の構成についてより詳細に説明する。図３に記載の座標系は、後述する反射体３１の長手方向をＸ方向、短手方向をＹ方向としてある。
【００２９】
上記照度調節装置３０を構成する反射体３１は、図１に示すように、上記載置棚２の外周部に照射された上記光源ユニット２０からの光を反射し、反射光を植物等の被照射体に照射することにより植物の所定位置へ照射される光の照度を調節するためのものである。
【００３０】
上記反射体３１は、図３に示すように、上記光源ユニット２０から照射された光を反射する反射面を備えた反射部３２と、反射方向を調節する調節部としての反射方向調節部３３と、反射光の反射光量を調節する調節部としての光量調節部３４と、反射位置を調節する調節部としての位置調節部３５とからなり、該反射体３１は、載置棚２の載置面に対して垂直方向に複数個並設して育成棚１０の一側面を形成している。
【００３１】
本実施例１では、上記反射体３１を垂直方向に複数個並設しているが、上記育成棚１０の大きさや被照射体の照射位置などに応じて、該反射体３１の大きさや設置数を調節することができ、例えば、載置棚２の載置面に対して水平方向に並設したり、１枚の反射体３１により一側面を形成したりしてもよい。なお、隣り合う反射体３１との間に所定の間隔を設けて並設することにより、育成棚１０内外の通風を確保することができる。
【００３２】
上記反射部３２は、図３に示すように、Ｘ方向に長い矩形形状の薄板（反射シート）であり、上記光源ユニット２０から照射した光を、上記育成棚１０内部に反射する反射面を備えている。反射面は、少なくとも植物と対向する面に設けてあればよく、薄板に白色の塗料を塗布したり、半田などの金属を蒸着させたり、ステンレスやアルミニウムなどの金属により鏡面を形成したりしてもよい。なお、発泡ＰＥＴ系の反射シートを敷設した場合には、短波長領域の光から長波長領域の光まで効率よく反射することができ、ポリエステル系樹脂を用いた反射シートを敷設した場合には、多層膜構造とすることより高反射率を実現することができる。
【００３３】
上記反射方向調節部３３は、円柱形状の軸体であって、両端がそれぞれ独立に軸回りに回動可能であり、少なくとも前記反射部３２の反射面とは異なる面又は反射面の裏面側に固定してある。そのため、上記反射体３１に平行な軸の回りに回転させることができ、上記各反射体３１の反射方向を複数方向に異ならせて調節することができる。また、上記反射方向調節部３３は、上記各反射体３１のＸ方向（長手方向）に平行に設けてあるが、各反射体３１の反射方向を個別に調節することができれば対角線上に設けたり、各反射体３１のＹ方向（短手方向）に設けたり、各反射部３２のＸ方向の両端に個別に回転部材を設けたりしてもよい。
【００３４】
上記反射方向調節部３３は、例えば、１５度毎に回転角を維持固定することができる留め部（不図示）を設けて、反射体３１を１５度ずつ所要の角度で維持できるようにしてある。また、上記反射体３１を任意の角度に傾けて、例えば、ねじなどで仮止めする構成でもよい。この場合、上記反射体３１は、手動で所要の角度に傾ける構成であるが、ステッピングモータなどを用いて、電気的に自動制御して角度を設定するようにしてもよい。このような構成であるため、植物に対して水平方向（Ｘ方向）及び垂直方向（Ｙ方向）など、所望の方向に反射体３１の反射面を傾けることができ、反射方向を複数方向に異ならせて調節することができる。さらに、葉の裏面側や葉が重なり合う部分など上記光源ユニット２０からの光が直接照射されにくい箇所へも効果的に光を照射することができる。
【００３５】
上記光量調節部３４は、図４に示すように、上記反射部３２のＹ方向に伸縮可能な円柱形状の軸体であり、反射部３２の両端に連接して設けてある。そのため、上記光量調節部３４の伸縮に応じて反射部３２の反射面積を調節することができる。すなわち、図３に示すように、上記光量調節部３４がＹ方向に伸びた場合、伸びた長さであるΔＴにより形成される長方形の面積分、反射面積を増加させることができる。そのため、反射面により反射される光量を増加させることができ、被照射体に照射される照度を調節することができる。
【００３６】
また、上記光量調節部３４は、本実施例１では伸縮可能な軸体を各反射体３１のＸ方向の両側に設けているが、このような構成に限らず、上記反射体３１のＹ方向の両端部に反射部３２がスライド可能なスライド溝を設け、反射体３１をスライドさせることにより反射面積を拡張することができるような構成や、巻取り装置などを用いて反射部３２の反射面積の大きさを調節するような構成であっても構わない。なお、これらの構成を組み合わせることにより、反射部３２の反射面積をＸ方向やＹ方向に自在に拡張することができる。
【００３７】
なお、上記光量調節部３４の伸縮方向は、例えば、育成している植物が生長に応じて大きくなる植物（生長段階）であれば、上記育成棚１０の外側に伸縮するように調節する。このように調節することにより、植物の生長を妨げることなく所定の光量の光を植物に照射することができる。また、上記育成棚１０の内側に伸縮するように調節した場合には、育成棚１０の外側に上記各反射体３１が突出することがないため、育成棚１０の外側からの作業性が向上する。
【００３８】
さらに、タイマーなどを設け、植物の種類や生長段階に応じて上記各反射体３１の反射面積の大きさを異ならせるように制御してもよい。例えば、植物が生長するに従い、生長に必要な光量が減少する植物に対しては、上記各反射体３１の反射面積の大きさを徐々に小さくなるように調節することにより植物の生長条件に応じた光の照射を行うことができる。
【００３９】
上記位置調節部３５は、矩形形状の板体であり、一端は上記反射方向調節部３３を固定するようになっており、上記反射方向調節部３３に接していない他端は、後述する支柱３６に設けた溝部（不図示）に挿入される。上記支柱３６内では、隣り合う他の位置調節部３５と一部が連結しており、連結した位置調節部３５を巻き取るための巻取り装置（不図示）が支柱３６内に設けられている。そのため、巻取り装置を用いて、上記各反射体３１は、支柱３６内を移動することができる。
【００４０】
なお、上記位置調節部３５を介して各反射体３１を移動する構成としては、反射方向を調節するために、載置棚１２からの高さ（位置）を自在に調節することができる構成であればよく、例えば、支柱３６内で輪状にしたベルトを回転させ、所定の間隔をあけて上記位置調節部３５を保持する保持部をベルトに設けたり、支柱３６内にブラインドのような構造を設けたり、育成棚１０の一側面を形成する反射体３１の枚数分だけ支柱３６に溝部を設け、各溝部に各反射体３１を巻き取る装置を設けたりして、電気的あるいは機械的に自動制御してもよい。また、ねじなどを用いて手動にて任意の位置で仮止めをする構成としてもよい。
【００４１】
さらに、上記反射方向調節部３３、上記光量調節部３４及び上記位置調節部３５は、例えば、サーバやパーソナルコンピュータなどの情報処理装置を用いて総合的に制御することができる。例えば、上記光量調節部３４により反射面積を拡張した場合には、隣り合う反射体３１と重なることのないように、すなわち所定の間隔を保つように位置調節部３５を用いて反射位置を制御することにより、植物に対して効果的に光を照射することができる。
【００４２】
次に、図５及び図６を用いて、被照射体の所定位置へ照射する反射体３１からの反射光の反射方向や反射光量を調節することにより、照度を調節する照度調節方法についてより詳細に説明する。図５は、本発明の照度調節装置３０を植物育成装置１００（育成棚１０）に用いた場合の制御ブロック図であり、図６は、本発明の照度調節装置３０の反射体からの反射光の反射方向や反射光量を調節する手順を示すフローチャートである。
【００４３】
まず、光源ユニット２０からの照射される光の照度を、植物の側に設置した照度センサーが検知すると、本フローがスタートする。次に、支柱３６の上方に重畳して配置してある複数の反射体３１を、支柱３６の下方側へ移動させ、反射位置を決定する（Ｓ１１）。移動させる際には、隣り合う反射体３１が重なり合うことなく、隣り合う反射体３１との間に適宜所定の間隔を持たせるように移動させるとよい。このように制御することで、反射体３１の枚数を最小限に留めることができるとともに、光源ユニット２０から発生する熱を育成棚１０の外へ放熱することができる（育成棚１０内外の通風を確保することができる）。さらに、光源ユニット２０から照射される光が育成棚１０の外側へ漏れる光漏れを低減することができる。なお、各反射体３１を制御することなく育成棚１０の外側から植物の状態を確認することができる。
【００４４】
次に、最下部に移動した反射体３１の下縁部が載置棚２の上面と当接していれば（Ｓ１２でＹｅｓ）、各反射体３１により反射される反射光の反射方向を決定する（Ｓ１３）。反射体３１の下縁部が載置棚２の上辺と当接していなければ（Ｓ１２でＮｏ）、Ｓ１１に戻り再度各反射体３１を移動させ、光源ユニット２０から照射される光を効率よく反射するための反射位置（載置棚２からの高さ）を決定する。このように制御することにより、植物の種類や生長段階に応じて、葉、特に伸長する芽又は果実など植物の所定位置に反射光を照射することができる。さらに、反射光を照射する照射面における光量を調節することができるため、光合成を速度させたり、生長をコントロールしたりすることができる。
【００４５】
また、各反射体３１の反射位置の決定に関しては、反射体３１の下縁部が載置棚２の上面と当接しているか否かで検知したが、これに限らず、少なくとも最下部に移動する反射体３１からの反射光が、植物の所定位置に照射可能な反射位置であればよく、例えばトレー３上部にセンサーを設け、最下部に移動する反射体３１の反射位置を決定するようにしてもよい。
【００４６】
そして、各反射体３１の反射方向の決定に関しては、光源ユニット２０から照射される光の入射角に応じて各反射体３１の反射方向を決定してもよい。すなわち、各反射体３１の反射面に入射角検出センサーを設け、検出した入射角に応じて反射方向を複数方向に調節してもよい。
【００４７】
次に、植物の側に配置した照度センサーを用いて測定（計測）した照度と、植物の種類や生長段階に応じて設定し、記憶部に記憶している照度設定値とを比較し（Ｓ１４）、照度設定値に達していれば（Ｓ１４でＹｅｓ）フローチャートを終了する（Ｓ１５）。このように制御することにより、光源ユニット２０から直接照射される直接光と、光源ユニット２０からの光が各反射体３１により反射されて間接的に照射される間接光とを用いて、植物の光合成を促進したり、植物の生長に必要とされる光量を有する光を照射したりすることができる。
【００４８】
また、照度設定値に達していなければ（Ｓ１４でＮｏ）、照度設定値と測定した照度とを比較し、（Ｓ１６）、照度設定値より測定した照度の方が小さければ、各反射体３１の反射面積を拡張するように制御し、反射光量を調節する（Ｓ１７）。また、照度設定値より測定した照度の方が大きければ、各反射体３１の反射方向を再度調節し（Ｓ１３）、測定される照度が照度設定値になるように反射方向を決定する。また、反射面積が縮小するように制御し、反射光量を調節しても構わない。
【００４９】
次に、各反射体３１の反射面積を拡張した結果、測定される照度が照度設定値に達していれば（Ｓ１８でＹｅｓ）、フローチャートを終了し（Ｓ１５）、光源ユニット２０からの直接光と各反射体からの間接光とを植物に照射する。また、各反射体３１の反射面積を拡張しても照度設定値に達していなければ（Ｓ１８でＮｏ）、各反射体３１の反射面積を再度拡張する（Ｓ１９でＮｏ）。各反射体３１の反射面積の拡張が限界であれば（Ｓ１９でＹｅｓ）フローチャートを終了する。
【００５０】
上述の例では、照度設定値を用いて反射光量を調節したが、これに限らず、例えばタイマーを用いて光源ユニット２０の点灯や消灯を制御し、光源ユニット２０の制御に併せて各反射体３１の反射方向又は反射光量を個別に制御してもよい。このようにタイマーを用いて制御することにより、植物の種類や生長段階に応じて光の照射条件を異ならせることができ、植物の光合成の速度を調節したり、開花時期を制御したり、出荷時期をコントロールしたりすることができる。
【００５１】
また、各反射体３１の反射位置を個別に制御することができるため、例えば、各反射体３１を一定の方向（位置）に移動させ、全ての反射体３１を纏めることができる。そのため、育成棚１０の外側からでも人が作業を行いやすくなり、作業性が向上する。
【００５２】
そして、載置棚２に対して垂直方向に複数の反射体３１を配置し、個別に調節（制御）する場合は、下側に配置した反射体３１ほど反射面積を拡張するように調節（制御）する（反射面積を徐々に大きくする）ことが好ましい。このように調節することにより、光源ユニット２０からの直接光が届きにくい箇所、例えば葉が重なり合う部分や茎などへも効果的に光を照射することができる。
【００５３】
さらに、下側に配置した反射体３１ほど光源ユニット２０からの光を反射する反射角度が大きくなるように調節することが好ましい。すなわち、反射体３１の反射面が載置棚２に対して垂直な場合を反射角度が０度、反射面が載置棚２に対して水平（平行）な場合を反射角度が９０度とすると、光源ユニット２０からの距離が離れるにしたがって反射角度が徐々に大きくなるように調節することにより、植物全体に効率よく光を照射することができる。
【実施例２】
【００５４】
次に、本発明の照度調節装置４０を育成棚１０に実施した実施例２について、図７及び図８を用いて説明する。
【００５５】
実施例１では、複数の反射体３１を垂直方向に並設して照度調節装置３０を構成していたが、実施例２の照度調節装置４０は、育成棚１０の外形を形成する一側面に１枚の反射体４１を設けた構成であり、その他の構成については実施例１と同一であるため、同一部分には同一の符号を付してその説明を省略する。
【００５６】
実施例２における照度調節装置４０を構成する反射体４１は、図７及び図８に示すように、上記光源ユニット２０の縁部から上記反射方向調節部４３を介して懸装して設けてある。すなわち、上記反射方向調節部４３の一方は反射体４１を固定するようになっており、反射体４１に接していない他方は、光源ユニット２０と連接（連結）しているため、上記光源ユニット２０と反射体４１との間に隙間が生じることがない。そのため、上記光源ユニット２０からの光が、上記育成棚１０の外へ漏れることがなく、植物に効率よく照射することができる。
【００５７】
また、上記反射方向調節部４３は、図８に示すように、上記反射部４２の反射方向調節部４３と連接していない他端側を、育成棚１０の内側に向くように反射方向調節部４３を調節（回動）することにより、植物の所定位置、特に上部へ間接光を照射することができる。また、反射体４１の反射方向調節部４３と連接していない他端側を、育成棚１０の外側に向くように反射方向調節部４３を調節することにより、植物の所定位置、特に側面部又は下部へ間接光を照射することができる。このように、反射体３１の設置数に限らず、反射方向を複数方向に異ならせて調節することができる。
【００５８】
上述の通り、実施例１及び実施例２では、矩形形状の反射体３１、４１の位置調節部３５を支柱３６に保持する構成を備えた照度調節装置３０、４０について説明したが、これに限らず、被照射体の所定位置へ照射される反射体からの反射光の反射方向が、複数方向に異ならせて調節可能な構成であればよく、例えば円形、楕円形及び三角形や四角形などの多角形の形状を備えた反射部を一点で支持する機構を持たせることにより、反射部の反射面の傾きを自在に調節可能な構成をしても構わない。
【００５９】
また、１又は複数の反射部（反射体）を用いて、各反射部からの反射光の反射方向が、それぞれ異なるように調節しても構わない。すなわち、反射光の反射方向が複数方向に異ならせて調節可能であれば、反射部を１又は複数用いていても構わない。なお、これらを組み合わせていても構わない。このような構成とすることにより、より簡単な構成で被照射体の所定位置に照射される光の照度を調節することができる。
【００６０】
また、上記反射体３１、４１は、少なくとも一面に反射面を備えた構成について説明したが、反射面の一部に光を吸収する光吸収体を備え、光源ユニット２０から照射された光の一部を光吸収体にて吸収し、光吸収体に吸収されなかった光を反射するようにしてもよい。このような構成とすることにより、反射体により反射される光の光量を調節することができ、被照射体の所定位置に照射される光量を増減させることができる。
【００６１】
なお、本発明の照度調節装置を、例えば、住宅の中に設置した照明装置の照度調節用に実施した場合は、被照射体の所定位置として、机上や床の上、また手元などへ照射される照射される照明装置からの光の照度を調節することができる。また、本発明の照度調節装置を、住宅の窓に実施した場合は、太陽光を効果的に室内に取り込むことができるため、照明装置の消費電力を抑えることができるとともに、室内外の換気を同時に行うことができる。
【符号の説明】
【００６２】
１００      植物育成装置
１０        育成棚
３０、４０  照度調節装置
３１、４１  反射体
３２、４２  反射部
３３、４３  反射方向調節部（調節部）
３４、４４  光量調節部（調節部）
３５        位置調節部（調節部）
【図１】
2011160765.tif 000003
【図２】
2011160765.tif 000004
【図３】
2011160765.tif 000005
【図４】
2011160765.tif 000006
【図５】
2011160765.tif 000007
【図６】
2011160765.tif 000008
【図７】
2011160765.tif 000009
【図８】
2011160765.tif 000010
【図９】
2011160765.tif 000011